(57)【要約】【課題】水道施設による給水内容の収支やそれに影響を及ぼす要因等に関して視覚的に明示する。【解決手段】水収支可視化システム１００において、水の消費内容の情報とソリューションの情報とを格納した記憶装置１０１と、消費内容の情報に基づき、水の供給量、水の消費形態ごとの消費量、および、消費形態の内訳ごとの消費量、にそれぞれ対応したサイズの描画オブジェクトを生成し、この描画オブジェクトを各要素の間の階層関係に応じて配置し画面出力し、所定ソリューションの導入効果の算定式を記憶装置から読み取り、当該算定式を成す変数のうち前記要素に対応したものに該当要素の消費量の値を適用して所定ソリューションの導入効果を算定し、この導入効果が示す所定要素に関する水の消費量の増減に応じて描画オブジェクトのサイズを更新する演算装置１０４を含む構成とする。【選択図】図２
2019109583.tif 000002
【特許請求の範囲】
【請求項１】
水道施設により供給される水の消費内容の情報と、前記水道施設に導入することで前記水の供給に関連する所定事象の改善を図るソリューションの情報と、を格納した記憶装置と、
前記消費内容の情報に基づき、前記水道施設による水の供給量、前記水の消費形態ごとの消費量、および、前記消費形態の内訳ごとの消費量、にそれぞれ対応したサイズの描画オブジェクトを生成する処理と、前記描画オブジェクトを、前記消費内容の情報が示す前記供給量、前記消費形態、および、前記消費形態の内訳、の各要素の間の階層関係に応じて配置し画面出力する処理と、所定端末から指定を受けた所定ソリューションに関して、当該所定ソリューションの導入効果の算定式を前記ソリューションの情報から読み取り、当該算定式を成す変数のうち前記要素に対応したものに該当要素の消費量の値を適用して前記所定ソリューションの導入効果を算定する処理と、前記算定した導入効果が示す所定要素に関する水の消費量の増減に応じて前記描画オブジェクトのサイズを更新する処理と、を実行する演算装置と、
を備えることを特徴とする水収支可視化システム。
【請求項２】
前記記憶装置は、
前記水道施設に関する評価指標の算定式の情報を更に格納するものであり、
前記演算装置は、
前記評価指標の算定式を成す変数のうち前記要素に対応したものに該当要素の消費量の値を適用して前記評価指標の値を算定し、前記算定した評価指標の値に対応したサイズの評価指標用の第１の描画オブジェクトを生成する処理と、前記所定ソリューションの導入効果が示す所定要素に関する水の消費量の増減を、前記評価指標の算定式における該当要素の変数に反映させ、前記評価指標用の第２の描画オブジェクトを生成する処理と、前記評価指標用の第１および第２の描画オブジェクトそれぞれを画面出力する処理と、を更に実行するものである、
ことを特徴とする請求項１に記載の水収支可視化システム。
【請求項３】
前記記憶装置は、
前記水の供給環境のうち前記評価指標に影響を与えうるものの情報と、前記水道施設による水の供給エリアにおける供給環境に関する情報と、を更に格納するものであり、
前記演算装置は、
前記第１の描画オブジェクトを生成するに際し、前記評価指標の算定式を成す変数のうち前記要素に対応したものに、供給エリアそれぞれにおける該当要素の消費量の値を適用して、前記評価指標の値を供給エリアごとに算定し、前記算定した評価指標の値に対応したサイズの第１の描画オブジェクトを供給エリアごとに生成し、
前記第２の描画オブジェクトを生成するに際し、前記所定ソリューションの導入効果が示す、供給エリアそれぞれにおける所定要素に関する水の消費量の増減を、前記評価指標の算定式における該当要素の変数に反映させ、前記第２の描画オブジェクトを供給エリアごとに生成し、
前記供給エリアに関する情報および前記評価指標に影響を与えうるものの情報に基づき、供給エリアごとに評価指標に影響を与えうる供給環境を特定し、各供給エリアの、前記特定した供給環境の情報と前記第１および前記第２の各描画オブジェクトとを、画面出力する処理を更に実行するものである、
ことを特徴とする請求項２に記載の水収支可視化システム。
【請求項４】
前記記憶装置は、
前記供給エリアそれぞれにおける供給環境の経年変化に関する情報を更に格納するものであり、
前記演算装置は、
前記評価指標のうち所定の評価指標に関して、当該評価指標の算定式における所定変数に、前記供給エリアそれぞれにおける供給環境の経年変化に関する情報が示す、所定時期から所定期間経過した時点における所定事象の値を適用して、前記所定の評価指標の値を供給エリアごとに算定し、当該算定した評価指標の値の大きさに応じて、供給エリアの間での前記ソリューションの導入優先順を判定し、当該判定の結果を画面出力する処理を更に実行するものである、
ことを特徴とする請求項３に記載の水収支可視化システム。
【請求項５】
水道施設により供給される水の消費内容の情報と、前記水道施設に導入することで前記水の供給に関連する所定事象の改善を図るソリューションの情報と、を格納した記憶装置を備えた情報処理システムが、
前記消費内容の情報に基づき、前記水道施設による水の供給量、前記水の消費形態ごとの消費量、および、前記消費形態の内訳ごとの消費量、にそれぞれ対応したサイズの描画オブジェクトを生成する処理と、前記描画オブジェクトを、前記消費内容の情報が示す前記供給量、前記消費形態、および、前記消費形態の内訳、の各要素の間の階層関係に応じて配置し画面出力する処理と、所定端末から指定を受けた所定ソリューションに関して、当該所定ソリューションの導入効果の算定式を前記ソリューションの情報から読み取り、当該算定式を成す変数のうち前記要素に対応したものに該当要素の消費量の値を適用して前記所定ソリューションの導入効果を算定する処理と、前記算定した導入効果が示す所定要素に関する水の消費量の増減に応じて前記描画オブジェクトのサイズを更新する処理と、
を実行することを特徴とする水収支可視化方法。
【請求項６】
前記情報処理システムが、
前記記憶装置において、前記水道施設に関する評価指標の算定式の情報を更に格納し、
前記評価指標の算定式を成す変数のうち前記要素に対応したものに該当要素の消費量の値を適用して前記評価指標の値を算定し、前記算定した評価指標の値に対応したサイズの評価指標用の第１の描画オブジェクトを生成する処理と、前記所定ソリューションの導入効果が示す所定要素に関する水の消費量の増減を、前記評価指標の算定式における該当要素の変数に反映させ、前記評価指標用の第２の描画オブジェクトを生成する処理と、前記評価指標用の第１および第２の描画オブジェクトそれぞれを画面出力する処理と、を更に実行する、
ことを特徴とする請求項５に記載の水収支可視化方法。
【請求項７】
前記情報処理システムが、
前記記憶装置において、前記水の供給環境のうち前記評価指標に影響を与えうるものの情報と、前記水道施設による水の供給エリアにおける供給環境に関する情報と、を更に格納し、
前記第１の描画オブジェクトを生成するに際し、前記評価指標の算定式を成す変数のうち前記要素に対応したものに、供給エリアそれぞれにおける該当要素の消費量の値を適用して、前記評価指標の値を供給エリアごとに算定し、前記算定した評価指標の値に対応したサイズの第１の描画オブジェクトを供給エリアごとに生成し、
前記第２の描画オブジェクトを生成するに際し、前記所定ソリューションの導入効果が示す、供給エリアそれぞれにおける所定要素に関する水の消費量の増減を、前記評価指標の算定式における該当要素の変数に反映させ、前記第２の描画オブジェクトを供給エリアごとに生成し、
前記供給エリアに関する情報および前記評価指標に影響を与えうるものの情報に基づき、供給エリアごとに評価指標に影響を与えうる供給環境を特定し、各供給エリアの、前記特定した供給環境の情報と前記第１および前記第２の各描画オブジェクトとを、画面出力
する処理を更に実行する、
ことを特徴とする請求項６に記載の水収支可視化方法。
【請求項８】
前記情報処理システムが、
前記記憶装置において、前記供給エリアそれぞれにおける供給環境の経年変化に関する情報を更に格納し、
前記評価指標のうち所定の評価指標に関して、当該評価指標の算定式における所定変数に、前記供給エリアそれぞれにおける供給環境の経年変化に関する情報が示す、所定時期から所定期間経過した時点における所定事象の値を適用して、前記所定の評価指標の値を供給エリアごとに算定し、当該算定した評価指標の値の大きさに応じて、供給エリアの間での前記ソリューションの導入優先順を判定し、当該判定の結果を画面出力する処理を更に実行する、
ことを特徴とする請求項７に記載の水収支可視化方法。
【発明の詳細な説明】
【技術分野】
【０００１】
本発明は、水収支可視化システムおよび水収支可視化方法に関するものであり、具体的には、水道施設による給水内容の収支やそれに影響を及ぼす要因等に関して視覚的に明示する技術に関する。
【背景技術】
【０００２】
自治体等における水道施設の運営環境は、当該自治体の財政悪化などに伴って、年々厳しくなる傾向にある。そこで、水道施設における管路更新など各種資本投下を適切に行うことで、当該水道施設の効率的な維持・管理を図るための技術が様々に存在する。
【０００３】
このような水道施設の管理に関する従来技術としては、例えば、利用者要望と，住民動向予測によって求められた予測住民動向を用いて，投資計画案生成を行い，生成された投資計画に基づき，地域毎に投資計画シミュレーションを行うことにより投資の結果予測を利用者に提示することを特徴とする水道情報資産活用事業計画管理システム，及び管理方法（特許文献１参照）などが提案されている。
【０００４】
また、監視制御装置及び少なくとも１つの水道施設とネットワークを介して接続される水道施設の維持管理支援装置であって、少なくとも、前記水道施設内で作業する作業員の移動距離をモニタリングする映像取得部からの移動距離と、作業員の会話を含む音声信号を取得する音声取得部からの音声信号と、に基づき前記作業員の活動度を求める指標算出部と、水道施設内の各種設備の過去の運転条件及び作業内容並びに運転結果を相互に関連付けて格納する活動記録データベースと、前記監視制御装置より得られる前記各種設備の現在の運転条件と前記活動記録データベースに格納される情報及び前記作業員の活動度に基づき、前記各種設備が非定常状態か否かを判定すると共に対応する過去の運転条件に基づき、所定時間経過後の前記水道施設の状態を予測するシミュレーション部と、を備え、前記シミュレーション結果が、少なくとも所定の水質を満たす運転条件及び／又は作業内容を提示することを特徴とする水道施設の維持管理支援装置（特許文献２参照）なども提案されている。
【先行技術文献】
【特許文献】
【０００５】
【特許文献１】特開２０１４−６６１２号公報
【特許文献２】特開２０１７−９１０３２号公報
【発明の概要】
【発明が解決しようとする課題】
【０００６】
ところが、水道施設により供給された水が、当該水道施設の運営に貢献する形で消費される程度など、主に経済的観点を踏まえた分析結果を、視覚的に分かりやすく示す技術は提案されていない。また、そうした水の供給や使用、経済的観点に影響を与えうる各種要因やソリューションを、上述の分析結果にあわせて提示する技術も提案されていない。
【０００７】
そこで本発明の目的は、水道施設による給水内容の収支やそれに影響を及ぼす要因等に関して視覚的に明示する技術を提供することにある。
【課題を解決するための手段】
【０００８】
上記課題を解決する本発明の水収支可視化システムは、水道施設により供給される水の消費内容の情報と、前記水道施設に導入することで前記水の供給に関連する所定事象の改
善を図るソリューションの情報と、を格納した記憶装置と、前記消費内容の情報に基づき、前記水道施設による水の供給量、前記水の消費形態ごとの消費量、および、前記消費形態の内訳ごとの消費量、にそれぞれ対応したサイズの描画オブジェクトを生成する処理と、前記描画オブジェクトを、前記消費内容の情報が示す前記供給量、前記消費形態、および、前記消費形態の内訳、の各要素の間の階層関係に応じて配置し画面出力する処理と、所定端末から指定を受けた所定ソリューションに関して、当該所定ソリューションの導入効果の算定式を前記ソリューションの情報から読み取り、当該算定式を成す変数のうち前記要素に対応したものに該当要素の消費量の値を適用して前記所定ソリューションの導入効果を算定する処理と、前記算定した導入効果が示す所定要素に関する水の消費量の増減に応じて前記描画オブジェクトのサイズを更新する処理と、を実行する演算装置と、を備えることを特徴とする。
【０００９】
また、本発明の水収支可視化方法は、水道施設により供給される水の消費内容の情報と、前記水道施設に導入することで前記水の供給に関連する所定事象の改善を図るソリューションの情報と、を格納した記憶装置を備えた情報処理システムが、前記消費内容の情報に基づき、前記水道施設による水の供給量、前記水の消費形態ごとの消費量、および、前記消費形態の内訳ごとの消費量、にそれぞれ対応したサイズの描画オブジェクトを生成する処理と、前記描画オブジェクトを、前記消費内容の情報が示す前記供給量、前記消費形態、および、前記消費形態の内訳、の各要素の間の階層関係に応じて配置し画面出力する処理と、所定端末から指定を受けた所定ソリューションに関して、当該所定ソリューションの導入効果の算定式を前記ソリューションの情報から読み取り、当該算定式を成す変数のうち前記要素に対応したものに該当要素の消費量の値を適用して前記所定ソリューションの導入効果を算定する処理と、前記算定した導入効果が示す所定要素に関する水の消費量の増減に応じて前記描画オブジェクトのサイズを更新する処理と、を実行することを特徴とする。
【発明の効果】
【００１０】
本発明によれば、水道施設による給水内容の収支やそれに影響を及ぼす要因等に関して視覚的に明示することができる。
【図面の簡単な説明】
【００１１】
【図１Ａ】本実施形態の水収支可視化システムを含むネットワーク構成図である。
【図１Ｂ】本実施形態における水収支可視化システムのハードウェア構成例を示す図である。
【図２】本実施形態の構成要素テーブルのデータ構成例を示す図である。
【図３】本実施形態の構成要素テーブル（詳細）のデータ構成例を示す図である。
【図４】本実施形態の構成要素テーブル（詳細）のデータ構成例を示す図である。
【図５】本実施形態における水収支可視化方法のフロー例１を示す図である。
【図６】本実施形態のソリューションテーブルのデータ構成例を示す図である。
【図７】本実施形態の計算式テーブルのデータ構成例を示す図である。
【図８】本実施形態における水収支可視化方法のフロー例２を示す図である。
【図９】本実施形態のグラフテーブルのデータ構成例を示す図である。
【図１０】本実施形態における水収支可視化方法のフロー例３を示す図である。
【図１１】本実施形態の水収支情報テーブルのデータ構成例を示す図である。
【図１２】本実施形態の水収支情報テーブルのデータ構成例を示す図である。
【図１３】本実施形態の水収支情報テーブルのデータ構成例を示す図である。
【図１４】本実施形態における水収支可視化方法のフロー例４を示す図である。
【図１５】本実施形態のＤＭＡ特性テーブルのデータ構成例を示す図である。
【図１６】本実施形態における水収支可視化方法のフロー例５を示す図である。
【図１７】本実施形態の影響要素テーブルのデータ構成例を示す図である。
【図１８】本実施形態における水収支可視化方法のフロー例６を示す図である。
【図１９】本実施形態における水収支可視化方法のフロー例７を示す図である。
【図２０】本実施形態における画面出力例を示す図である。
【図２１】本実施形態における水収支可視化方法のフロー例８を示す図である。
【図２２】本実施形態における画面出力例を示す図である。
【図２３】本実施形態における水収支可視化方法のフロー例９を示す図である。
【図２４】本実施形態における水収支可視化方法のフロー例１０を示す図である。
【図２５】本実施形態の推移予測テーブルのデータ構成例を示す図である。
【図２６】本実施形態における水収支可視化方法のフロー例１１を示す図である。
【図２７Ａ】本実施形態における係数グラフの例を示す図である。
【図２７Ｂ】本実施形態における係数グラフの例を示す図である。
【図２７Ｃ】本実施形態における係数グラフの例を示す図である。
【図２７Ｄ】本実施形態における係数グラフの例を示す図である。
【図２８】本実施形態のロステーブルのデータ構成例を示す図である。
【図２９】本実施形態における水収支可視化方法のフロー例１２を示す図である。
【図３０】本実施形態における画面出力例を示す図である。
【発明を実施するための形態】
【００１２】
−−−ネットワーク構成−−−
以下に本発明の実施形態について図面を用いて詳細に説明する。図１は、本実施形態の水収支可視化システム１００を含むネットワーク構成図である。図１に示す水収支可視化システム１００は、水道施設による給水内容の収支やそれに影響を及ぼす要因等に関して視覚的に明示するコンピュータシステムである。
【００１３】
本実施形態における水収支可視化システム１００は、インターネットやＬＡＮなど適宜なネットワーク１０を介して、クライアント２００と通信可能に接続されている。このクライアント２００は、水道施設の関係者や当該水道施設に対して改善提案を行うコンサルタントが操作する端末である。水道施設の関係者やコンサルタントらは、当該水道施設における水の収支や、それに影響を及ぼす要因や改善を図るソリューション等の情報を得たいと考えるユーザである。
【００１４】
一方、水収支可視化システム１００は、例えば、サーバ装置を想定する。この水収支可視化システム１００は、ユーザインターフェイス部１１０、画面生成部１１１、ＫＰＩ登録・算出部１１２、ＤＭＡ水収支データ収集・管理部１１３、ＤＭＡ環境データ収集・管理部１１４、ソリューション導入エリア優先度判定部１１５、環境情報影響範囲算出部１１６、および、ソリューション登録部１１７、の各機能部を有している。
【００１５】
また、これらの機能部のうち画面生成部１１１は、構成要素テーブル１２７とグラフテーブル１３０を保持している。
【００１６】
このうち構成要素テーブル１２７は、水道施設により供給される水の消費内容（損失の概念も含む）を、消費形態ごとに定義し、消費形態の各間における階層構造を踏まえて定義したものである。
【００１７】
図２に本実施形態における構成要素テーブル１２７の例を示す。この構成要素テーブル１２７で示すように、水道施設によって供給エリアに供給される水の量、すなわち供給量（要素ＩＤ“１”、表示名称“Ｗａｔｅｒ  Ｓｕｐｐｌｙ”）をルートとして、この供給量の水が消費ないし無為に失われる各形態、すなわち水の消費形態を、上述のルートに連なる下位の階層として定義している。
【００１８】
消費形態の例としては、要素ＩＤ“２”、表示名称“Ｒｅｖｅｎｕｅ  Ｗａｔｅｒ”、要素ＩＤ“３”、表示名称“Ｎｏｎ  Ｒｅｖｅｎｕｅ  Ｗａｔｅｒ”、要素ＩＤ“１１”、表示名称“Ａｕｔｈｏｒｉｚｅｄ  Ｃｏｎｓｕｍｐｉｔｉｏｎ”、要素ＩＤ“１２”、表示名称“Ｗａｔｅｒ  Ｌｏｓｓ”、要素ＩＤ“１１１”、表示名称“Ｂｉｌｌｅｄ  Ａｕｔｈｏｒｉｚｅｄ  Ｃｏｎｓｕｍｐｉｔｉｏｎ”、要素ＩＤ“１１２”、表示名称“Ｕｎｂｉｌｌｅｄ  Ａｕｔｈｏｒｉｚｅｄ  Ｃｏｎｓｕｍｐｉｔｉｏｎ”、要素ＩＤ“１２１”、表示名称“Ａｐｐａｒｅｎｔ  Ｌｏｓｓｅｓ”、要素ＩＤ“１２２”、表示名称“Ｒｅａｌ  Ｌｏｓｓｅｓ”、などがあげられる。
【００１９】
また、こうした構成要素テーブル１２７で定義された消費形態を、消費内訳の「要素」ととらえ、当該要素の間の階層構造を定義した、構成要素テーブル（詳細）１２７１、１２７２を、図３、図４にて示す。
【００２０】
図３、４で示すように、要素ＩＤ“１”の“Ｗａｔｅｒ  Ｓｕｐｐｌｙ”は、需要家による消費か漏水等による損失かという観点からすれば、要素ＩＤ“１１”の“Ａｕｔｈｏｒｉｚｅｄ  Ｃｏｎｓｕｍｐｉｔｉｏｎ”と要素ＩＤ“１２”の“Ｗａｔｅｒ  Ｌｏｓｓ”とから構成される。また、要素ＩＤ“１”の“Ｗａｔｅｒ  Ｓｕｐｐｌｙ”は、利益に結びつく消費形態か否かという観点からすれば、要素ＩＤ“２”の“Ｒｅｖｅｎｕｅ  Ｗａｔｅｒ”と要素ＩＤ“３”の“Ｎｏｎ  Ｒｅｖｅｎｕｅ  Ｗａｔｅｒ”とから構成されているともいえる。
【００２１】
また、上述のように、要素ＩＤ“１”の“Ｗａｔｅｒ  Ｓｕｐｐｌｙ”を構成している、要素ＩＤ“１１”の“Ａｕｔｈｏｒｉｚｅｄ  Ｃｏｎｓｕｍｐｉｔｉｏｎ”は、要素ＩＤ“１１１”の“Ｂｉｌｌｅｄ  Ａｕｔｈｏｒｉｚｅｄ  Ｃｏｎｓｕｍｐｉｔｉｏｎ”と、要素ＩＤ“１１２”の“Ｕｎｂｉｌｌｅｄ  Ａｕｔｈｏｒｉｚｅｄ  Ｃｏｎｓｕｍｐｉｔｉｏｎ”とから構成される。
【００２２】
また、要素ＩＤ“２”の“Ｒｅｖｅｎｕｅ  Ｗａｔｅｒ”は、上述の要素ＩＤ“１１１”の“Ｂｉｌｌｅｄ  Ａｕｔｈｏｒｉｚｅｄ  Ｃｏｎｓｕｍｐｉｔｉｏｎ”から構成される。また、要素ＩＤ“３”の“Ｎｏｎ  Ｒｅｖｅｎｕｅ  Ｗａｔｅｒ”は、要素ＩＤ“１１２”の“Ｕｎｂｉｌｌｅｄ  Ａｕｔｈｏｒｉｚｅｄ  Ｃｏｎｓｕｍｐｉｔｉｏｎ”と、要素ＩＤ“１２１”の“Ａｐｐａｒｅｎｔ  Ｌｏｓｓｅｓ”と、要素ＩＤ“１２２”の“Ｒｅａｌ  Ｌｏｓｓｅｓ”とから構成される。
【００２３】
また、グラフテーブル１３０は、上述のクライアント２００に対して出力する画面において表示する、水道施設に関する各評価指標（例：ＫＰＩ）の情報の表示手法について定義したものである（図９）。
【００２４】
また、ＤＭＡ水収支データ収集・管理部１１３は、供給エリアごとの水収支の情報を格納した水収支情報テーブル（図１１〜図１３）を含むＤＭＡ水収支ＤＢ１２５を保持している。
【００２５】
また、ＤＭＡ環境データ収集・管理部１１４は、供給エリアごとの供給環境の情報を格納したＤＭＡ特性テーブル１２６１を含むＤＭＡ特性ＤＢ１２６を保持している（図１５）。
【００２６】
また、ソリューション導入エリア優先度判定部１１５は、供給エリアそれぞれにおける供給環境の経年変化に関する情報を格納した推移予測テーブル１３２（図２５）、および、上述の推移予測テーブル１３２の情報等に基づいて所定の評価指標である、水道施設による水の供給量のうち損失分の経年変化の情報を格納したロステーブル１３３（図２８）
を保持している。
【００２７】
また、環境情報影響範囲算出部１１６は、水の供給環境のうち評価指標に影響を与えうるものとその影響先とに関する情報を格納した影響要素テーブル１３１を保持している（図１７）。
【００２８】
また、ソリューション登録部１１７は、水道施設に導入することで水の供給に関連する所定事象の改善を図るソリューションの情報を格納したソリューションテーブル１２８（図６）、および、各ソリューションの導入効果の算定式を格納した計算式テーブル１２９（図７）を保持している。
【００２９】
なお、上述のユーザインターフェイス部１１０は、クライアント２００との間でデータ授受を行う機能部である。
【００３０】
また、画面生成部１１１は、上述のユーザインターフェイス部１１０を介してクライアント２００に出力する各種画面を生成する機能部である。この画面生成に際しては、構成要素テーブル１２７およびグラフテーブル１３０を少なくとも用いる。
【００３１】
また、ＫＰＩ登録・算出部１１２は、所定の登録用端末ないしクライアント２００（以下、本実施形態では登録用端末）からの登録指示を受けた評価指標の情報を、グラフテーブル１３０および影響要素テーブル１３１における対応項目に登録する。またＫＰＩ登録・算出部１１２は、グラフテーブル１３０に登録した情報のうち計算式の情報と、この計算式を構成する変数に対応した水収支情報（水収支ＤＢ１２５から取得）とに基づいて該当ＫＰＩ（評価指標）の算出を行う。
【００３２】
また、ＤＭＡ水収支データ収集・管理部１１３は、水道施設の管理部門等が運用している所定のシステムなどから、当該水道施設で各供給エリアに供給している水の量（供給量）と、これに対して対応する供給エリアで消費した水の量、漏水等で損失した水の量など、水収支に関するデータを取得し、これをＤＭＡ水収支ＤＢ１２５に格納する。
【００３３】
また、ＤＭＡ環境データ収集・管理部１１４は、水道施設の管理部門等が運用している所定のシステムなどから、当該水道施設で各供給エリアに関して把握している供給環境のデータを取得し、これをＤＭＡ特性ＤＢ１２６に格納する。
【００３４】
また、ソリューション導入エリア優先度判定部１１５は、上述の推移予測テーブル１３２やグラフテーブル１３０におけるＫＰＩの計算式の情報、係数グラフ（図２７Ａ〜図  ２７Ｄ）などに基づいて、ソリューション導入の優先順位を各供給エリアについて判定する。
【００３５】
また、環境情報影響範囲算出部１１６は、上述のＤＭＡ特性ＤＢ１２６や影響要素テーブル１３１に基づいて、水道施設による水の供給エリアごとに、ＫＰＩに影響を与えうる供給環境を特定する。
【００３６】
また、ソリューション登録部１１７は、上述のクライアント２００から登録指示を受けたソリューションの情報を、ソリューションテーブル１２８および計算式テーブル１２９に格納する。
【００３７】
−−−ハードウェア構成−−−
図２に本実施形態の水収支可視化システム１００のハードウェア構成例を示す。また、水収支可視化システム１００のハードウェア構成は以下の如くとなる。
【００３８】
本実施形態の水収支可視化システム１００は、記憶装置１０１、メモリ１０３、演算装置１０４、および、通信装置１０５、を少なくとも備える。
【００３９】
このうち記憶装置１０１は、ＳＳＤ（Ｓｏｌｉｄ  Ｓｔａｔｅ  Ｄｒｉｖｅ）やハードディスクドライブなど適宜な不揮発性記憶素子で構成される。また、メモリ１０３は、ＲＡＭなど揮発性記憶素子で構成される。
【００４０】
また、演算装置１０４は、上述の記憶装置１０１に保持されるプログラム１０２をメモリ１０３に読み出すなどして実行し装置自体の統括制御を行なうとともに各種判定、演算及び制御処理を行なうＣＰＵなどである。
【００４１】
また、通信装置１０５は、ネットワーク１０と接続しクライアント２００との通信処理を担う、ネットワークインターフェイスカードなどである。
【００４２】
なお、上述の記憶装置１０１内には、本実施形態の水収支可視化システム１００として必要な上述の各機能部１１０〜１１７を実装する為のプログラム１０２に加えて、ＤＭＡ水収支ＤＢ１２５、ＤＭＡ特性ＤＢ１２６、構成要素テーブル１２７、ソリューションテーブル１２８、計算式テーブル１２９、グラフテーブル１３０、影響要素テーブル１３１、推移予測テーブル１３２、および、ロステーブル１３３、が少なくとも記憶されている。
【００４３】
−−−フロー例１−−−
以下、本実施形態における水収支可視化方法の実際手順について図に基づき説明する。以下で説明する水収支可視化方法に対応する各種動作は、水収支可視化システム１００がメモリ等に読み出して実行するプログラムによって実現される。そして、このプログラムは、以下に説明される各種の動作を行うためのコードから構成されている。
【００４４】
図５は、本実施形態における水収支可視化方法のフロー例１を示す図である。この場合、水収支可視化システム１００のソリューション登録部１１７が、所定の登録用端末から、ソリューションに関する情報の登録指示を受けて、これをソリューションテーブル１２８および計算式テーブル１２９に登録し（ｓ１０）、処理を終了する。
【００４５】
ここで上述の登録用端末から登録指示を受けるソリューションの情報は、登録対象のソリューションのソリューション名と、当該ソリューションの導入効果の計算式になる。  ソリューション登録部１１７は、上述のソリューション名を受け付けて、ソリューションテーブル１２８にレコードを生成し、他のレコードすなわちソリューションと一意に識別可能なＩＤをソリューションＩＤとして所定ルールで付与する。
【００４６】
また、ソリューション登録部１１７は、上述の計算式を受け付ける場合、例えば、構成要素テーブル１２７が含む各要素の要素ＩＤを選択可能に登録用端末に表示させ、要素の選択指示を受ける。また同様に、ソリューション登録部１１７は、選択指示を受けた要素に作用する四則演算の演算子を選択可能に所定の登録用端末に表示させ、演算子の選択指示を受ける。
【００４７】
図７に示す計算式テーブル１２９の例では、例えば、ソリューションＩＤ“Ｓ０１”に関して、要素ＩＤ“１２２”の“Ｒｅａｌ  Ｌｏｓｓｅｓ”と定数“０．８”との間に演算子“×”が適用された計算式が登録されている。この計算式は、ソリューションＩＤ“Ｓ０１”を導入することで、要素ＩＤ“１２２”の“Ｒｅａｌ  Ｌｏｓｓｅｓ”は、導入前より“０．８”倍に低減される効果が得られることを示している。
【００４８】
同様に、ソリューションＩＤ“Ｓ０２”に関して、要素ＩＤ“１２１”の“Ａｐｐａｒｅｎｔ  Ｌｏｓｓｅｓ”と定数“０．９”との間に演算子“×”が適用された計算式が登録されている。この計算式は、ソリューションＩＤ“Ｓ０２”を導入することで、要素ＩＤ“１２１”の“Ａｐｐａｒｅｎｔ  Ｌｏｓｓｅｓ”は、導入前より“０．９”倍に低減される効果が得られることを示している。
【００４９】
−−−フロー例２−−−
図８は本実施形態における水収支可視化方法のフロー例２を示す図である。続いて、水収支可視化システム１００のＫＰＩ登録・算出部１１２は、登録用端末からの登録指示を受けたＫＰＩの情報を、グラフテーブル１３０における対応項目に登録し（ｓ２０）、処理を終了する。
【００５０】
ここでＫＰＩ登録・算出部１１２が登録用端末から登録指示を受けるＫＰＩの情報としては、図９のグラフテーブル１３０に示すように、ＫＰＩの値を示す所定サイズの描画オブジェクトたるグラフ、のタイトル、ＫＰＩの値の単位、種類、および、当該ＫＰＩの計算式、を含む。
【００５１】
このうちグラフタイトルは、構成要素テーブル１２７における「表示略称」の項目の値に対応している。
【００５２】
また計算式は、既に述べた計算式テーブル１２９と同様、構成要素テーブル１２７が含む各要素のうち登録用端末から指定された要素ＩＤと、当該要素ＩＤが示す要素に作用する四則演算として登録用端末から指定された演算子と、から構成されている。
【００５３】
図９に示すグラフテーブル１３０の例では、例えば、ＫＰＩＩＤ“ＫＰＩ０１”に関して、グラフタイトル“ＮＲＷ”、単位“％”、グラフ種類“棒グラフ”、計算式“要素ＩＤ“３”÷要素ＩＤ“１”×１００”が登録されている。この計算式は、ＫＰＩＩＤ“ＫＰＩ０１”は、要素ＩＤ“３”の“Ｎｏｎ  Ｒｅｖｅｎｕｅ  Ｗａｔｅｒ”を、要素ＩＤ“１”の“Ｗａｔｅｒ  Ｓｕｐｐｌｙ”で除算した値に“１００”を乗じて計算することを示している。
【００５４】
−−−フロー例３−−−
図１０は本実施形態における水収支可視化方法のフロー例３を示す図である。この場合、水収支可視化システム１００のＤＭＡ水収支データ収集・管理部１１３は、水道施設の管理部門等が運用している所定のシステムなどから、当該水道施設で各供給エリアに供給している水の量（供給量）と、これに対して対応する供給エリアで消費した水の量、漏水等で損失した水の量など、水収支に関するデータを取得する（ｓ１００）。
【００５５】
ここで得た、「供給量」は、構成要素テーブル１２７における各要素のうち、要素ＩＤ“１”の“Ｗａｔｅｒ  Ｓｕｐｐｌｙ”に対応している。また、「供給エリアで消費した水の量」は、構成要素テーブル１２７における各要素のうち、要素ＩＤ“１１”の“Ａｕｔｈｏｒｉｚｅｄ  Ｃｏｎｓｕｍｐｔｉｏｎ”に対応している。また、「漏水等で損失した水の量」は、要素ＩＤ“１２”の“Ｗａｔｅｒ  Ｌｏｓｓｅｓ”に対応している。
【００５６】
続いて、ＤＭＡ水収支データ収集・管理部１１３は、ｓ１００で得た各要素に関する水の量のデータを、ＤＭＡ水収支ＤＢ１２５の水収支情報テーブル１２５１に格納する（ｓ１０１）。図１１に示す水収支情報テーブル１２５１は、ソリューション導入前の供給エリア“ＤＭＡ１”に関するものである。ここでは、水道施設からの「供給量」、すなわち要素ＩＤ“１”の“Ｗａｔｅｒ  Ｓｕｐｐｌｙ”の“Ｖｏｌｕｍｅ”として、“７０，０
００，０００”が登録されている。また、水道施設からの「供給量」のうち「供給エリアで消費した水の量」、すなわち要素ＩＤ“１１”の“Ａｕｔｈｏｒｉｚｅｄ  Ｃｏｎｓｕｍｐｔｉｏｎ”“Ｖｏｌｕｍｅ”として、“４０，０００，０００”が登録されている。また、「漏水等で損失した水の量」、すなわち要素ＩＤ“１２”の“Ｗａｔｅｒ  Ｌｏｓｓｅｓ”の“Ｖｏｌｕｍｅ”として、“３０，０００，０００”が登録されている。
【００５７】
続いて、ＤＭＡ水収支データ収集・管理部１１３は、上述の要素ＩＤ“１”の“Ｗａｔｅｒ  Ｓｕｐｐｌｙ”が、要素ＩＤ“１１”の“Ａｕｔｈｏｒｉｚｅｄ  Ｃｏｎｓｕｍｐｔｉｏｎ”と、要素ＩＤ“１２”の“Ｗａｔｅｒ  Ｌｏｓｓｅｓ”とから構成されていることを、構成要素テーブル１２７１（図３）で参照し、これに基づき、水収支情報テーブル１２５１における“割合”の値を計算し、これを水収支情報テーブル１２５１に登録する（ｓ１０２）。
【００５８】
例えば、上述の要素ＩＤ“１”の“Ｗａｔｅｒ  Ｓｕｐｐｌｙ”の割合を“１００”とすれば、要素ＩＤ“１１”の“Ａｕｔｈｏｒｉｚｅｄ  Ｃｏｎｓｕｍｐｔｉｏｎ”の割合は、要素ＩＤ“１１”の“Ａｕｔｈｏｒｉｚｅｄ  Ｃｏｎｓｕｍｐｔｉｏｎ”の“Ｖｏｌｕｍｅ”たる“４０，０００，０００”を、要素ＩＤ“１”の“Ｗａｔｅｒ  Ｓｕｐｐｌｙ”の“Ｖｏｌｕｍｅ”たる“７０，０００，０００”で除算して１００を乗じることで、“５７．１”と算定できる。
【００５９】
同様に、要素ＩＤ“１２”の“Ｗａｔｅｒ  Ｌｏｓｓｅｓ”の“Ｖｏｌｕｍｅ”の割合は、要素ＩＤ“１２”の“Ｗａｔｅｒ  Ｌｏｓｓｅｓ”の“Ｖｏｌｕｍｅ”たる“３０，０００，０００”を、要素ＩＤ“１”の“Ｗａｔｅｒ  Ｓｕｐｐｌｙ”の“Ｖｏｌｕｍｅ”たる“７０，０００，０００”で除算して１００を乗じることで、“４２．９”と算定できる。
【００６０】
また、ＤＭＡ水収支データ収集・管理部１１３は、ソリューションテーブル１２８で定義された各ソリューションの導入効果を、計算式テーブル１２９にて特定した当該ソリューションの計算式に基づいて計算し、これをソリューション導入後の水収支情報テーブル１２５３、１２５４における、各要素の“Ｖｏｌｕｍｅ”として登録して（ｓ１０３）、処理を終了する。この際、当然ながら“割合”についてもｓ１０２と同様に算定して登録するものとする。
【００６１】
上述のソリューションの導入効果の計算に際し、ＤＭＡ水収支データ収集・管理部１１３は、例えば、上述の要素ＩＤ“１１”の“Ａｕｔｈｏｒｉｚｅｄ  Ｃｏｎｓｕｍｐｔｉｏｎ”の構成要素を、構成要素テーブル（詳細）１２７１、１２７２で検索し、要素ＩＤ“１１１”、“１１２”、と特定する。そこで、ＤＭＡ水収支データ収集・管理部１１３は、要素ＩＤ“１１”、要素ＩＤ“１１１”、要素ＩＤ“１１２”、のいずれかを含む計算式を計算式テーブル１２９で検索する。すると、該当する計算式は特定できない。
【００６２】
また、ＤＭＡ水収支データ収集・管理部１１３は、例えば、上述の要素ＩＤ“１２”の“Ｗａｔｅｒ  Ｌｏｓｓｅｓ”の構成要素を、構成要素テーブル（詳細）１２７１、１２７２で検索し、要素ＩＤ“１２１”、“１２２”、と特定する。そこで、ＤＭＡ水収支データ収集・管理部１１３は、要素ＩＤ“１２”、要素ＩＤ“１２１”、要素ＩＤ“１２２”、のいずれかを算出対象とする計算式を計算式テーブル１２９で検索する。すると、該当する計算式として、ソリューションＩＤ“Ｓ０１”、“Ｓ０２”、“Ｓ０１＆Ｓ０２”、のそれぞれに対応したものを特定できる。
【００６３】
そこでＤＭＡ水収支データ収集・管理部１１３は、特定した各ソリューションの計算式を構成する変数に、水収支情報テーブル１２５１における該当要素ＩＤの“ｖｏｌｕｍｅ
”の値を代入して計算を実行し、当該計算式で算定する該当要素（図７の例では、要素ＩＤ“１２１”および要素ＩＤ“１２２”のそれぞれ）の“ｖｏｌｕｍｅ”を得る。
【００６４】
ＤＭＡ水収支データ収集・管理部１１３は、ここで得た、要素ＩＤ“１２１”および要素ＩＤ“１２２”のそれぞれの“ｖｏｌｕｍｅ”（ソリューション導入前に比べて変化している）で、要素ＩＤ“１２”の“Ｗａｔｅｒ  Ｌｏｓｓｅｓ”の“ｖｏｌｕｍｅ”を更新し、この更新した値を、当該ソリューションの導入後の水収支情報テーブル１２５２、ないし水収支情報テーブル１２５３に、設定する。
【００６５】
−−−フロー例４−−−
図１４は本実施形態における水収支可視化方法のフロー例４を示す図である。この場合、ＤＭＡ環境データ収集・管理部１１４は、水道施設の管理部門等が運用している所定のシステムなどから、当該水道施設で各供給エリアに関して把握している供給環境のデータを取得し（ｓ３０）、これをＤＭＡ特性ＤＢ１２６に格納し（ｓ３１）、処理を終了する。
【００６６】
ここで登録する供給環境のデータは、図１５のＤＭＡ特性テーブル１２６１の項目に示すように、給水先施設、給水スケジュール、および、給水設備、に関するものとなる。
【００６７】
このうち給水先施設のデータは、当該供給エリアの給水人口、および、無料給水施設（“Ｎｏｎ  Ｒｅｖｅｎｕｅ  Ｗａｔｅｒ”の消費施設となる）の戸数、などの各データを含む。
【００６８】
また、給水スケジュールのデータは、該当供給エリアに対する月あたり給水時間のデータを含む。
【００６９】
また、給水設備のデータは、当該供給エリアに設置されている給水用の管路を構成するパイプ、パイプ内に導水する水を貯蔵するタンク、および、給水量を計測するメータ、といった設備の経年数（使用開始からの経過年数）のデータを含む。
【００７０】
−−−フロー例５−−−
図１６は本実施形態における水収支可視化方法のフロー例５を示す図である。この場合、環境情報影響範囲算出部１１６は、例えば、上述のＤＭＡ特性ＤＢ１２６のＤＭＡ特性テーブル１２６１の各項目のうち所定項目と、当該項目が影響を及ぼす、構成要素テーブル１２７における所定の要素とについて、登録用端末から指定を受けて、これを影響要素テーブル１３１（図１７）に登録する（ｓ１１０）。
【００７１】
続いて、環境情報影響範囲算出部１１６は、影響要素テーブル１３１の「影響先」欄の要素ＩＤの値で、構成要素テーブル１２７１、１２７２を検索して、当該要素ＩＤの要素を構成する要素を特定し、ここで特定した要素と上述の「影響先」欄の要素ＩＤのいずれかを計算式に含むＫＰＩのＫＰＩＩＤをグラフテーブル１０で特定し、これを影響要素テーブル１３１における「影響先」欄のＫＰＩＩＤの値として登録する（ｓ１１１）。
【００７２】
また、環境情報影響範囲算出部１１６は、影響要素テーブル１３１の「影響先」欄の要素ＩＤの値と、ｓ１１１で特定している当該要素ＩＤの要素を構成する要素の要素ＩＤの値のいずれかを計算式に含むソリューションのソリューションＩＤを、計算式テーブル１２９で特定し、これを影響要素テーブル１３１における「影響先」欄のソリューションＩＤの値として登録し（ｓ１１２）、処理を終了する。
【００７３】
−−−フロー例６−−−
図１８は本実施形態における水収支可視化方法のフロー例６を示す図である。この場合、画面生成部１１１は、ソリューションテーブル１２８を参照し、クライアント２００に向けて出力する画面（以下、ＷａｔｅｒＢａｌａｎｃｅＴａｂｌｅ可視化画面、とする）のソリューションエリアを描画する（ｓ１２０）。
【００７４】
上述のソリューションエリアは、図２０に例示するＷａｔｅｒＢａｌａｎｃｅＴａｂｌｅ可視化画面１０００における、領域１００１である。このソリューションエリア１００１は、クライアント２００を操作するユーザが選択可能なアイコン等の適宜なインターフェイスを、ソリューションテーブル１２８に登録済みのソリューションごとに配置する領域である。よって、ｓ１２０での描画では、ソリューションテーブル１２８の「ソリューション名」欄の各値を表示するアイコンを配置する処理となる。
【００７５】
また、画面生成部１１１は、構成要素テーブル１２７と水収支情報テーブル１２５１〜１２５３のうちソリューションエリア１００１でユーザ選択を受けたソリューションに関するもの（例：ソリューションエリア１００１でユーザが「ソリューション１」をクリックした場合、“ソリューション１”導入後の水収支情報テーブル１２５２が該当）とを参照し、ユーザがクライアント２００を操作して選択メニュー１００２にて選択した供給エリア（以下、ＤＭＡとする）のＷａｔｅｒＢａｌａｎｃｅＴａｂｌｅ１００３（図２０）を描画する（ｓ１２１）。このステップｓ１２１の詳細については、図１９のフローにて後述するが、ここで描画されるＷａｔｅｒＢａｌａｎｃｅＴａｂｌｅ１００３の概要は以下のとおりとなる。
【００７６】
このＷａｔｅｒＢａｌａｎｃｅＴａｂｌｅ１００３は、本ステップで参照した水収支情報テーブル１２５２が示す各消費形態における水の消費量の大きさに応じた高さの矩形オブジェクトを生成し、これを構成要素テーブル１２７、構成要素テーブル（詳細）１２７１、１２７２が示す要素間の階層構造にしたがって配置し構成したものとなる。
【００７７】
図２０におけるＷａｔｅｒＢａｌａｎｃｅＴａｂｌｅ１００３の例では、テーブル左端が、構成要素テーブル１２７におけるルートたる要素ＩＤ“０”の“Ｗａｔｅｒ  Ｓｕｐｐｌｙ”であり、右端の左隣の要素ＩＤ“１１１１”の“Ｍｅｔｅｒｅｄ  Ｃｏｎｓｕｍｐｔｉｏｎ”などまで、階層構造を下層まで各描画オブジェクトを順次配置している。また、テーブル右端には、要素ＩＤ“２”の“Ｒｅｖｅｎｕｅ  Ｗａｔｅｒ”と、要素ＩＤ“３”の“Ｎｏｎ  Ｒｅｖｅｎｕｅ  Ｗａｔｅｒ”とを配置している。
【００７８】
つまり、ＷａｔｅｒＢａｌａｎｃｅＴａｂｌｅ１００３において、水道施設から供給された水である、要素ＩＤ“０”の“Ｗａｔｅｒ  Ｓｕｐｐｌｙ”は、様々に消費されるものの、最終的に、要素ＩＤ“２”の“Ｒｅｖｅｎｕｅ  Ｗａｔｅｒ”（水道施設にとって経済的利益につながる消費形態の水）と、要素ＩＤ“３”の“Ｎｏｎ  Ｒｅｖｅｎｕｅ  Ｗａｔｅｒ”（水道施設にとって経済的利益につながらない消費形態の水）とに、集約されることとなる。
【００７９】
続いて、画面生成部１１１は、ＫＰＩ登録・算出部１１２にて値を算出したＫＰＩのうち、ユーザがクライアント２００を操作してＷａｔｅｒＢａｌａｎｃｅＴａｂｌｅ可視化画面１０００のＫＰＩ選択メニュー１００４にて選択したＫＰＩを、ＫＰＩエリア１００５に表示する（ｓ１２２）。
【００８０】
なお、ＫＰＩ登録・算出部１１２は、上述のｓ１２２の処理に際し、グラフテーブル１３０に登録されたＫＰＩのうち上述のユーザが選択したＫＰＩの計算式の情報を参照しこの計算式を構成する変数（構成要素テーブル１２７における要素）に、対応した水収支情報（水収支ＤＢ１２５から取得）を代入し、該当ＫＰＩの算出を行うものとする。
【００８１】
例えば、「ＫＰＩ０１」の“Ｎｏｎ  Ｒｅｖｅｎｕｅ  Ｗａｔｅｒ”の計算式は、“［３］÷［１］×１００”であるから、ＫＰＩ登録・算出部１１２は、要素ＩＤ“３”および要素ＩＤ“１”に対応する値を、ソリューション導入前の水収支情報テーブル１２５１、および、“ソリューション１”の導入後の水収支情報テーブル１２５２、のそれぞれから抽出し、これを水収支情報テーブルごとに計算式に適用し、計算を行うこととなる。
【００８２】
この場合、画面生成部１１１は、上述のＫＰＩ登録・算出部１１２による計算で得られた、ソリューション導入前の水収支情報テーブル１２５１に基づくＫＰＩを“Ｂｅｆｏｒｅ”、“ソリューション１”の導入後の水収支情報テーブル１２５２に基づくＫＰＩを、“Ａｆｔｅｒ”として、それぞれの値の大きさに応じた棒グラフを描画し、ＫＰＩエリア１００５に表示することとなる。
【００８３】
次に、画面生成部１１１は、上述のＫＰＩエリア１００５のＣｏｍｐａｒｅＤＭＡｓボタン１００６の選択指示をクライアント２００から受けたか判定する（ｓ１２３）。
【００８４】
上述の判定の結果、ＫＰＩエリア１００５のＣｏｍｐａｒｅＤＭＡｓボタン１００６の選択指示を受けていない場合（ｓ１２３：ＮＯ）、画面生成部１１１は処理を終了する。
【００８５】
他方、上述の判定の結果、ＫＰＩエリア１００５のＣｏｍｐａｒｅＤＭＡｓボタン１００６の選択指示を受けた場合（ｓ１２３：ＹＥＳ）、画面生成部１１１は、ＫＰＩ比較画面１１００（図２２）を描画し（ｓ１２４）、処理を終了する。このＫＰＩ比較画面１１００の描画処理については、図２１のフローに基づき後述する。
【００８６】
−−−フロー例７−−−
図１９は本実施形態における水収支可視化方法のフロー例７を示す図である。ここでは、上述の図１８にて示したフローのうち、ｓ１２１の処理詳細について説明する。
【００８７】
この場合、画面生成部１１１は、構成要素テーブル１２７、構成要素テーブル（詳細）１２７１、１２７２を参照し、ＷａｔｅｒＢａｌａｎｃｅＴａｂｌｅ可視化画面１０００のＷａｔｅｒＢａｌａｎｃｅＴａｂｌｅエリア１００３の左から順に、構成要素テーブル１２７、構成要素テーブル（詳細）１２７１、１２７２で定義した階層の順に、矩形オブジェクトを描画し、構成要素テーブル１２７で該当要素に関して定義された表示略称の値を設定し表示させる（ｓ１２１１）。
【００８８】
また、画面生成部１１１は、ＷａｔｅｒＢａｌａｎｃｅＴａｂｌｅ可視化画面１０００の選択メニュー１０００２にて選択されているＤＭＡのＩＤおよび、ソリューションエリア１００１でユーザ選択されているソリューションＩＤを取得する（ｓ１２１２）。
【００８９】
続いて、画面生成部１１１は、上述にて選択されているＤＭＡＩＤ、ソリューションＩＤに該当する水収支情報テーブルから、各要素の割合の値を取得し、各要素の矩形オブジェクトの高さを、当該割合の値に対応する長さとする（ｓ１２１３）。
【００９０】
続いて、画面生成部１１１は、水収支情報テーブルから各要素の“ｖｏｌｕｍｅ”、“ｅｒｒｏｒ”、“割合”、の各値を取得し、当該矩形オブジェクト内に表示し（ｓ１２１４）、処理を終了する。
【００９１】
−−−フロー例８−−−
図２１は本実施形態における水収支可視化方法のフロー例８を示す図である。ここでは、上述の図１８にて示したフローのうち、ｓ１２４の処理詳細について説明する。
【００９２】
この場合、画面生成部１１１は、ＷａｔｅｒＢａｌａｎｃｅＴａｂｌｅ可視化画面１０００にて選択されているソリューションＩＤ、ＫＰＩＩＤを取得する（ｓ１２４１）。
【００９３】
また、画面生成部１１１は、グラフテーブル１３０より、ｓ１２４１で取得したＫＰＩＩＤに対応する計算式を取得する（ｓ１２４２）。
【００９４】
続いて、画面生成部１１１は、ソリューションＩＤが“Ｓ００”である各ＤＭＡの水収支情報テーブルから、ＫＰＩ算出に必要な数値を取得し、これをＫＰＩ登録・算出部１１２に与えてＫＰＩを算出させる（ｓ１２４３）。
【００９５】
また、画面生成部１１１は、グラフテーブル１３０より、ｓ１２４１取得したＫＰＩＩＤに対応する“グラフタイトル”、“単位”、“グラフ種類”、の各値を取得し、ＤＭＡ毎に棒グラフ１１０１を描画する（ｓ１２４４）。なお、図２２では、簡便化のため、“ＤＭＡ１”についてのみ棒グラフの符号“１１０１”を付している（符号“１１０２”も同様）。
【００９６】
続いて、画面生成部１１１は、ｓ１２４１で取得したソリューションＩＤに該当する水収支情報テーブルから、ＫＰＩ算出に必要な数値を取得して、これをＫＰＩ登録・算出部１１２に与えてＫＰＩを算出させ、ＤＭＡ毎に棒グラフ１１０２を描画する（ｓ１２４５）。
【００９７】
また、画面生成部１１１は、影響情報影響範囲算出部１１６に、影響要素テーブル１３１を参照させ、影響先ＫＰＩＩＤにｓ１２４１で取得したＫＰＩＩＤが含まれるＤＭＡ環境項目の値を取得する（ｓ１２４６）。
【００９８】
続いて、画面生成部１１１は、各ＤＭＡのＤＭＡ特性テーブル１２６１を参照し、ｓ１２４６で取得したＤＭＡ環境項目の値を取得する（ｓ１２４７）。
【００９９】
また、画面生成部１１１は、ｓ１２４４で描画した棒グラフ１１０１１を、上述のユーザがクライアント２００にてマウスオーバ動作等した際に、ｓ１２４６で取得したＤＭＡ環境項目の値を、例えば、吹き出し形式のオブジェクト１１１０で表示する（ｓ１２４８）。
【０１００】
続いて、画面生成部１１１は、影響情報影響範囲算出部１１６に、影響要素テーブル１３１を参照させ、影響先ソリューションＩＤにｓ１２４１で取得したソリューションＩＤが含まれるＤＭＡ環境項目の値を取得する（ｓ１２４９）。
【０１０１】
また、画面生成部１１１は、各ＤＭＡのＤＭＡ特性テーブル１２６１を参照し、ｓ１２４６で取得したＤＭＡ環境項目の値を取得する（ｓ１２５０）。
【０１０２】
続いて、画面生成部１１１は、ｓ１２４５で描画した棒グラフ１１０２を、上述のユーザがクライアント２００にてマウスオーバ動作等した際に、ｓ１２４６で取得したＤＭＡ環境項目の値を、例えば、吹き出し形式のオブジェクト１１２０で表示し（ｓ１２５１）、処理を終了する。
【０１０３】
−−−フロー例９−−−
図２３は本実施形態における水収支可視化方法のフロー例９を示す図である。上述の図２２に関して示したように、ＤＭＡごとにソリューション導入前後のＫＰＩの値を視覚的に明示したが、水道施設の運用者からすれば、どのＤＭＡからソリューション導入をはか
れば好適であるか示唆する情報が存在すると更に有用である。そこで本実施形態の水収支可視化システム１００が、ＤＭＡの間で、ソリューション導入の優先順位を提示する処理について説明する。
【０１０４】
まずはここで、推移予測テーブル１３２の生成手順について示す。この場合、水収支可視化システム１００のソリューション導入エリア優先度判定部１１５は、今後の人口推移、月あたり給水時間、の各予測データを、例えば、各ＤＭＡの所在自治体のシステムや水道施設の管理システム等から取得し、それらを推移予測テーブル１３２に登録する（ｓ２００）。
【０１０５】
また、ソリューション導入エリア優先度判定部１１５は、水道施設の管理システム等から、当該水道施設が給水等に用いる設備たるパイプやタンク、の交換計画の情報を取得する（ｓ２０１）。
【０１０６】
続いて、ソリューション導入エリア優先度判定部１１５は、上述のｓ２０１での情報取得の結果を踏まえ、パイプやタンクの交換計画があるか判定する（ｓ２０２）。
【０１０７】
上述の判定の結果、パイプやタンクの交換計画がない、あるいは交換計画の情報が取得できない場合（ｓ２０２：ＮＯ）、ソリューション導入エリア優先度判定部１１５は、推移予測テーブル１３２で予め定めた年毎（例：２０１７年を起点とした場合、２０２０年、２０２５年、２０３０年）に、「平均パイプ経年数」、「平均タンク経年数」の各値として、起点となる年の値（上述の例の場合、２０１７年の値）に経年数を加算して算定する（ｓ２０３）。
【０１０８】
他方、上述の判定の結果、パイプやタンクの交換計画がある、あるいは取得できた場合（ｓ２０２：ＹＥＳ）、ソリューション導入エリア優先度判定部１１５は、交換されるパイプやタンクの割合を例えば過去の実績に基づいて推定（例：全体の３割を２０年ごとに交換）し、ＤＭＡ内の平均経年数を計算する（ｓ２０４）。
【０１０９】
続いて、ソリューション導入エリア優先度判定部１１５は、ｓ２０３ないしｓ２０４で得た、「平均パイプ経年数」および「平均タンク経年数」の各値を、推移予測テーブル１３２に登録し（ｓ２０５）、処理を終了する。
【０１１０】
−−−フロー例１０−−−
図２４は本実施形態における水収支可視化方法のフロー例１０を示す図である。引き続き、推移予測テーブル１３２の生成手順について示す。
【０１１１】
この場合、ソリューション導入エリア優先度判定部１１５は、ＤＭＡ特性テーブル１２６１より、各ＤＭＡの給水人口を取得する（ｓ２１０）。
【０１１２】
続いて、ソリューション導入エリア優先度判定部１１５は、水収支情報テーブル（ソリューション導入の前後のものそれぞれ）より、上述のＤＭＡそれぞれに関して、要素ＩＤ“１”の“ＷａｔｅｒＳｕｐｐｌｙ”の“ｖｏｌｕｍｅ”の値を取得する（ｓ２１１）。
【０１１３】
また、ソリューション導入エリア優先度判定部１１５は、推移予測テーブル１３２より、上述のＤＭＡそれぞれの将来の人口を年毎に取得する（ｓ２１２）。
【０１１４】
続いて、ソリューション導入エリア優先度判定部１１５は、ｓ２１０で得た給水人口との比率から、上述のＤＭＡの“ＷａｔｅｒＳｕｐｐｌｙ”の“ｖｏｌｕｍｅ”を年毎に計算し、また、その年までのトータルの“ＷａｔｅｒＳｕｐｐｌｙ”の“ｖｏｌｕｍｅ”を
算出し、推移予測テーブル１３２に「のべ給水量」として登録する（ｓ２１３）。
【０１１５】
また、ソリューション導入エリア優先度判定部１１５は、推移予測テーブル１３２より、上述のＤＭＡそれぞれの「月あたり給水時間」の値を取得する（ｓ２１４）。
【０１１６】
続いて、ソリューション導入エリア優先度判定部１１５は、上述のｓ２１４で得た「月あたり給水時間」の値に１２を乗じて「年間給水時間」の値を計算し、これを推移予測テーブル１３２に登録し（ｓ２１５）、処理を終了する。
【０１１７】
−−−フロー例１１−−−
図２６は本実施形態における水収支可視化方法のフロー例１１を示す図である。ここでは、ソリューション導入の優先度判定に向けて、事前の算定処理について説明する。
【０１１８】
この場合、ソリューション導入エリア優先度判定部１１５は、上述の推移予測テーブル１３２と係数グラフ２７０Ａ〜２７０Ｄ（図２７Ａ〜図２７Ｄ）の係数を用い、Ｒｅａｌ
Ｌｏｓｓｅｓ［ｍ３］を算出し、ロステーブル１３３に登録する（ｓ２２０）。なお、上述の係数グラフらは、有識者により予め設定されているものとする。
【０１１９】
このＲｅａｌ  Ｌｏｓｓｅｓの量は、パイプからの漏水およびタンクからの漏れに相当し、パイプからの漏水は、現在のパイプからの漏水、パイプ老朽度による影響係数、および、給水時間による影響係数、を変数とした所定の関数として表現できる。また、タンクからの漏れは、現在のタンクからの漏水、タンク老朽度による影響係数、および、給水時間による影響係数を、を変数とした所定の関数として表現できる。いずれの関数も既存技術を適宜に適用すればよい。
【０１２０】
なお、のべ給水量が多いほどパイプやタンクの老朽度が増し、それにより漏水が増えるとの概念を前提としている。のべ給水量（老朽度）によるＲｅａｌ  Ｌｏｓｓｅｓへの影響係数は、図２７Ａのグラフ２７０Ａ、図２７Ｃのグラフ２７０Ｃ、に示すとおりである。また、給水時間が長いほど、パイプ内やタンク内の保水時間が長くなり、漏水が増えるとの概念も前提としている。保水時間によるＲｅａｌ  Ｌｏｓｓｅｓへの影響係数は、図２７Ｂのグラフ２７０Ｂ、図２７Ｄのグラフ２７０Ｄ、に示すとおりである。
【０１２１】
続いて、ソリューション導入エリア優先度判定部１１５は、ｓ２２０で得たＲｅａｌ  Ｌｏｓｓｅｓ［ｍ３］の値に基づいて、年毎のＲｅａｌ  Ｌｏｓｓｅｓ［ｍ３］を算出し、のべＲｅａｌ  Ｌｏｓｓ［ｍ３］をロステーブル１３３に登録する（ｓ２２１）。
【０１２２】
また、ソリューション導入エリア優先度判定部１１５は、ロステーブル１３３ののべＲｅａｌ  Ｌｏｓｓ［ｍ３］と、推移予測テーブル１３２ののべ給水量［ｍ３］とから、Ｒｅａｌ  Ｌｏｓｓｅｓ［％］を求め、これをロステーブル１３３に登録し（ｓ２２２）、処理を終了する。
【０１２３】
なお、上述のＲｅａｌ  Ｌｏｓｓｅｓの算定に関しては、以下のような概念を踏まえている。トータルのＲｅａｌ  Ｌｏｓｓｅｓの推測には、ＤＭＡごとの人口、ＤＭＡ内のパイプの平均経年数、ＤＭＡ内のタンクの平均経年数、月あたり給水時間、の予測値、材質などのデータを用いる（少なくとも、ＤＭＡごとの給水人口、ＤＭＡ内のパイプの平均経年数、月あたり給水時間）。給水人口とパイプの平均経年数から、その時点までののべ給水量（つまり、パイプをどれだけ使ったかという老朽度）を求め、これがＲｅａｌ  Ｌｏｓｓｅｓに影響を与える。同様に、月あたり給水時間（つまり、パイプ内に水が存在する時間）もＲｅａｌ  Ｌｏｓｓｅｓに影響を与える。パイプの老朽度を算出する際に、上記に加え、交通量（人口に比例すると仮定）や材質もある係数をもって老朽度に影響を与え
るとしてもよい。
【０１２４】
例えば、２０１７年を現在とし、今後の人口推移、パイプやタンクの平均経年数（一部パイプ交換等が行われる計画があれば、その分若返る）、給水時間の予測を収集／計算する。２０１７年より過去のデータは、のべ給水量（推移予測テーブル１３２）を算出するためなので、過去ののべ給水量が分かっている場合は無くてもよい。
【０１２５】
−−−フロー例２２−−−
図２９は本実施形態における水収支可視化方法のフロー例１２を示す図であり、図３０は、ソリューションの導入前後のＫＰＩ（Ｒｅａｌ  Ｌｏｓｓｅｓ）についてＤＭＡごとに表示した画面例を示す図である。
【０１２６】
ここでは、今後の人口推移等のデータから、将来のＲｅａｌ  Ｌｏｓｓｅｓ量を推測し、ユーザが設定した年までのＲｅａｌ  Ｌｏｓｓｅｓの量あるいは割合を計算し、これが最大となるＤＭＡをソリューション導入の優先度が最も高いＤＭＡとしてリコメンドすることを基本的な概念としている。
【０１２７】
この場合、ソリューション導入エリア優先度判定部１１５は、例えば、クライアント２００に適宜なＧＵＩを表示させ、このＧＵＩにてユーザが選択した単位を取得する（ｓ２３０）。この単位とは、「のべＲｅａｌ  Ｌｏｓｓｅｓ［ｍ３」か、「Ｒｅａｌ  Ｌｏｓｓｅｓ［％］」のどちらであり、ＤＭＡの優先度を決める際の基準である。
【０１２８】
続いて、ソリューション導入エリア優先度判定部１１５は、上述のユーザがいずれの単位を選択したか判定する（ｓ２３１）。
【０１２９】
上述の判定の結果、当該ユーザが「のべＲｅａｌ  Ｌｏｓｓｅｓ［ｍ３］」を選択した場合（ｓ２３１：ＹＥＳ）、ソリューション導入エリア優先度判定部１１５は、ロステーブル１３３から、のべＲｅａｌ  Ｌｏｓｓｅｓ［ｍ３］の値を取得する（ｓ２３２）。
【０１３０】
他方、上述の判定の結果、当該ユーザが「のべＲｅａｌ  Ｌｏｓｓｅｓ［ｍ３］」を選択しなかった場合（ｓ２３１：ＮＯ）、ソリューション導入エリア優先度判定部１１５は、ロステーブル１３３から、のべＲｅａｌ  Ｌｏｓｓｅｓ［ｍ３］およびＲｅａｌ  Ｌｏｓｓｅｓ［％］、の各値を取得する（ｓ２３３）。
【０１３１】
また、ソリューション導入エリア優先度判定部１１５は、ｓ２３３で得た値に基づき、ユーザ指定の年においてＲｅａｌ  Ｌｏｓｓｅｓ［％］が最も多くなるＤＭＡを検出する（ｓ２３４）。
【０１３２】
続いて、ソリューション導入エリア優先度判定部１１５は、ｓ２３４で検出したＤＭＡを、ソリューション導入優先度が最も高いＤＭＡとしてリコメンド情報を生成し、これをクライアント２００に出力し（ｓ２３５）、処理を終了する。
【０１３３】
図３０の例では、リコメンド情報として、画面３１００を新たに出力した例を示している。この画面３１００では、ソリューション導入優先度が最も高いＤＭＡとして“ＤＭＡ１”の“Real Losses”のグラフ（ソリューション導入後のもの）を太線で協調表示した
ものを、リコメンド情報としている。
【０１３４】
例えば、図３０に例示するＷａｔｅｒＢａｌａｎｃｅＴａｂｌｅ可視化画面３０００上でユーザがソリューション“Ｓ０１”を選択した場合、ソリューション“Ｓ０１”は、要素ＩＤ“１２２”の“Ｒｅａｌ  Ｌｏｓｓｅｓ”を減らすソリューションである。また、
２０１７年を現在とし、ユーザが設定した将来の年（例えば２０３０年）までのトータルの“Ｒｅａｌ  Ｌｏｓｓｅｓ”（量ｏｒ割合はユーザ指定したもの）を推測し、これが大きくなるＤＭＡの順を、ソリューション導入優先順とする。
【０１３５】
以上、本発明を実施するための最良の形態などについて具体的に説明したが、本発明はこれに限定されるものではなく、その要旨を逸脱しない範囲で種々変更可能である。
【０１３６】
こうした本実施形態によれば、水道施設による給水内容の収支やそれに影響を及ぼす要因等に関して視覚的に明示することが可能となる。
【０１３７】
本明細書の記載により、少なくとも次のことが明らかにされる。すなわち、本実施形態の水収支可視化システムにおいて、前記記憶装置は、前記水道施設に関する評価指標の算定式の情報を更に格納するものであり、前記演算装置は、前記評価指標の算定式を成す変数のうち前記要素に対応したものに該当要素の消費量の値を適用して前記評価指標の値を算定し、前記算定した評価指標の値に対応したサイズの評価指標用の第１の描画オブジェクトを生成する処理と、前記所定ソリューションの導入効果が示す所定要素に関する水の消費量の増減を、前記評価指標の算定式における該当要素の変数に反映させ、前記評価指標用の第２の描画オブジェクトを生成する処理と、前記評価指標用の第１および第２の描画オブジェクトそれぞれを画面出力する処理と、を更に実行するものである、としてもよい。
【０１３８】
これによれば、水道施設に関する評価指標がソリューション導入でどのように変化するか、当該水道施設における水収支の内容とともに画面表示することが可能となる。ひいては、水道施設による給水内容の収支やそれに影響を及ぼす要因等に関して、より分かりやすい形で視覚的に明示することが可能となる。
【０１３９】
また、本実施形態の水収支可視化システムにおいて、前記記憶装置は、前記水の供給環境のうち前記評価指標に影響を与えうるものの情報と、前記水道施設による水の供給エリアにおける供給環境に関する情報と、を更に格納するものであり、前記演算装置は、前記第１の描画オブジェクトを生成するに際し、前記評価指標の算定式を成す変数のうち前記要素に対応したものに、供給エリアそれぞれにおける該当要素の消費量の値を適用して、前記評価指標の値を供給エリアごとに算定し、前記算定した評価指標の値に対応したサイズの第１の描画オブジェクトを供給エリアごとに生成し、前記第２の描画オブジェクトを生成するに際し、前記所定ソリューションの導入効果が示す、供給エリアそれぞれにおける所定要素に関する水の消費量の増減を、前記評価指標の算定式における該当要素の変数に反映させ、前記第２の描画オブジェクトを供給エリアごとに生成し、前記供給エリアに関する情報および前記評価指標に影響を与えうるものの情報に基づき、供給エリアごとに評価指標に影響を与えうる供給環境を特定し、各供給エリアの、前記特定した供給環境の情報と前記第１および前記第２の各描画オブジェクトとを、画面出力する処理を更に実行するものである、としてもよい。
【０１４０】
これによれば、水道施設に関する評価指標が、供給エリアごとにソリューション導入でどのように変化するか、当該水道施設における水収支の内容とともに一覧で画面表示することが可能となる。ひいては、水道施設による給水内容の収支やそれに影響を及ぼす要因等に関して、より分かりやすい形で視覚的に明示することが可能となる。
【０１４１】
また、本実施形態の水収支可視化システムにおいて、前記記憶装置は、前記供給エリアそれぞれにおける供給環境の経年変化に関する情報を更に格納するものであり、前記演算装置は、前記評価指標のうち所定の評価指標に関して、当該評価指標の算定式における所定変数に、前記供給エリアそれぞれにおける供給環境の経年変化に関する情報が示す、所
定時期から所定期間経過した時点における所定事象の値を適用して、前記所定の評価指標の値を供給エリアごとに算定し、当該算定した評価指標の値の大きさに応じて、供給エリアの間での前記ソリューションの導入優先順を判定し、当該判定の結果を画面出力する処理を更に実行するものである、としてもよい。
【０１４２】
これによれば、供給エリア間での、ソリューション導入の優先順位を明確に示することが可能となる。ひいては、水道施設による給水内容の収支やそれに影響を及ぼす要因等に関して、より分かりやすい形で視覚的に明示することが可能となる。
【０１４３】
また、本実施形態の水収支可視化方法において、前記情報処理システムが、前記記憶装置において、前記水道施設に関する評価指標の算定式の情報を更に格納し、  前記評価指標の算定式を成す変数のうち前記要素に対応したものに該当要素の消費量の値を適用して前記評価指標の値を算定し、前記算定した評価指標の値に対応したサイズの評価指標用の第１の描画オブジェクトを生成する処理と、前記所定ソリューションの導入効果が示す所定要素に関する水の消費量の増減を、前記評価指標の算定式における該当要素の変数に反映させ、前記評価指標用の第２の描画オブジェクトを生成する処理と、前記評価指標用の第１および第２の描画オブジェクトそれぞれを画面出力する処理と、を更に実行する、としてもよい。
【０１４４】
本実施形態の水収支可視化方法において、前記情報処理システムが、前記記憶装置において、前記水の供給環境のうち前記評価指標に影響を与えうるものの情報と、前記水道施設による水の供給エリアにおける供給環境に関する情報と、を更に格納し、前記第１の描画オブジェクトを生成するに際し、前記評価指標の算定式を成す変数のうち前記要素に対応したものに、供給エリアそれぞれにおける該当要素の消費量の値を適用して、前記評価指標の値を供給エリアごとに算定し、前記算定した評価指標の値に対応したサイズの第１の描画オブジェクトを供給エリアごとに生成し、前記第２の描画オブジェクトを生成するに際し、前記所定ソリューションの導入効果が示す、供給エリアそれぞれにおける所定要素に関する水の消費量の増減を、前記評価指標の算定式における該当要素の変数に反映させ、前記第２の描画オブジェクトを供給エリアごとに生成し、前記供給エリアに関する情報および前記評価指標に影響を与えうるものの情報に基づき、供給エリアごとに評価指標に影響を与えうる供給環境を特定し、各供給エリアの、前記特定した供給環境の情報と前記第１および前記第２の各描画オブジェクトとを、画面出力する処理を更に実行する、としてもよい。
【０１４５】
本実施形態の水収支可視化方法において、前記情報処理システムが、前記記憶装置において、前記供給エリアそれぞれにおける供給環境の経年変化に関する情報を更に格納し、前記評価指標のうち所定の評価指標に関して、当該評価指標の算定式における所定変数に、前記供給エリアそれぞれにおける供給環境の経年変化に関する情報が示す、所定時期から所定期間経過した時点における所定事象の値を適用して、前記所定の評価指標の値を供給エリアごとに算定し、当該算定した評価指標の値の大きさに応じて、供給エリアの間での前記ソリューションの導入優先順を判定し、当該判定の結果を画面出力する処理を更に実行する、としてもよい。
【符号の説明】
【０１４６】
１０    ネットワーク
１００  水収支可視化システム
１０１  記憶装置
１０２  プログラム
１０３  メモリ
１０４  演算装置
１０５  通信装置
１１０  ユーザインターフェイス部
１１１  画面生成部
１１２  ＫＰＩ登録・算出部
１１３  ＤＭＡ水収支データ収集・管理部
１１４  ＤＭＡ環境データ収集・管理部
１１５  ソリューション導入エリア優先度判定部
１１６  環境情報影響範囲算出部
１１７  ソリューション登録部
１２５  ＤＭＡ水収支ＤＢ
１２５１  水収支情報テーブル（ソリューション導入前）
１２５２、１２５３  水収支情報テーブル（ソリューション導入後）
１２６  ＤＭＡ特性ＤＢ
１２６１  ＤＭＡ特性テーブル
１２７  構成要素テーブル
１２７１、１２７２  構成要素テーブル（詳細）
１２８  ソリューションテーブル
１２９  計算式テーブル
１３０  グラフテーブル
１３１  影響要素テーブル
１３２  推移予測テーブル
１３３  ロステーブル
２００  クライアント
【図１Ａ】
2019109583.tif 000003
【図１Ｂ】
2019109583.tif 000004
【図２】
2019109583.tif 000005
【図３】
2019109583.tif 000006
【図４】
2019109583.tif 000007
【図５】
2019109583.tif 000008
【図６】
2019109583.tif 000009
【図７】
2019109583.tif 000010
【図８】
2019109583.tif 000011
【図９】
2019109583.tif 000012
【図１０】
2019109583.tif 000013
【図１１】
2019109583.tif 000014
【図１２】
2019109583.tif 000015
【図１３】
2019109583.tif 000016
【図１４】
2019109583.tif 000017
【図１５】
2019109583.tif 000018
【図１６】
2019109583.tif 000019
【図１７】
2019109583.tif 000020
【図１８】
2019109583.tif 000021
【図１９】
2019109583.tif 000022
【図２０】
2019109583.tif 000023
【図２１】
2019109583.tif 000024
【図２２】
2019109583.tif 000025
【図２３】
2019109583.tif 000026
【図２４】
2019109583.tif 000027
【図２５】
2019109583.tif 000028
【図２６】
2019109583.tif 000029
【図２７Ａ】
2019109583.tif 000030
【図２７Ｂ】
2019109583.tif 000031
【図２７Ｃ】
2019109583.tif 000032
【図２７Ｄ】
2019109583.tif 000033
【図２８】
2019109583.tif 000034
【図２９】
2019109583.tif 000035
【図３０】
2019109583.tif 000036